(57)【要約】【課題】  簡単な構成により、通常時には処理部内から生ゴミの臭いがシンク内に進入しないようにした生ゴミ処理装置を提供する。【解決手段】  シンク１１の排水部１２に着脱可能に配置された水切り部材１３と、外部への排水路１７に連通した水排出口と、生ゴミ処理部１６に連通した生ゴミ供給口１４と、を備えており、水切り部材１３が、シンクの排水部から流入した生ゴミと水とを分離して、水を水排出口に流下させると共に、生ゴミを残留させる分離室１３ｂと、生ゴミ供給口を閉塞する閉塞部１３ａと、を有するように、生ゴミ処理装置１０を構成する。【選択図】  図１
2014034001.tif 000002
【特許請求の範囲】
【請求項１】
シンクの排水口に接続された排水部と、該排水部に着脱可能に配置された水切り部材と、該排水部に接続され菌を担持する担持体を収容する生ゴミ処理部と、を備え、
上記排水部は、上記排水口の下方となる底部に開口して上記生ゴミ処理部に連通した生ゴミ供給口と、該生ゴミ供給口とは異なる位置に開口して外部への排水路に連通した水排出口と、を有し、
上記水切り部材は、上記生ゴミ供給口を閉塞する閉塞部と、上記排水口から流入した生ゴミと水とを分離して水を上記排水部に流出させると共に上記生ゴミ処理部に導入する生ゴミを内部に残留させる分離部と、を有し、
上記生ゴミ処理部は、上記生ゴミ供給口から導入された生ゴミを上記菌により分解し、分解により生じた水を外部への排水路に排出する、生ゴミ処理装置。
【請求項２】
前記水切り部材は、前記シンクの排水部に装着した状態で前記生ゴミ供給口を密閉し、
前記水切り部材を前記シンクの排水部から取り外した状態で、該水切り部材の分離室に残留した生ゴミを前記生ゴミ供給口に導入可能であることを特徴とする、請求項１に記載の生ゴミ処理装置。
【請求項３】
開閉蓋が、前記生ゴミ供給口を開閉するよう、該生ゴミ供給口の閉鎖位置から生ゴミ処理部側に向かって揺動可能に支持されると共に、該開閉蓋は、前記生ゴミ供給口を閉鎖するように付勢手段により付勢されていることを特徴とする、請求項１または２に記載の生ゴミ処理装置。
【請求項４】
前記付勢手段は、生ゴミ供給口から投入された生ゴミが開閉蓋の上に載せられたとき、生ゴミの重量により前記開閉蓋が下方に揺動し得る程度の付勢力を備えていることを特徴とする、請求項３に記載の生ゴミ処理装置。
【発明の詳細な説明】
【技術分野】
【０００１】
本発明は、厨房等におけるシンクに組み込まれた生ゴミ処理装置に関し、特にシンクの排水部に設けられた水と生ゴミを分離するための生ゴミ処理装置に関するものである。
【背景技術】
【０００２】
従来、このような生ゴミ処理装置は、例えばシンクの排水部に設けられた水切り部材と、水切り部材の下方に配置された処理部と、から構成されている。ここで、処理部は内部空間を画成する生ゴミ収容体と、この生ゴミ収容体内で、例えば水平軸の周りに回転可能に支持され且つ駆動手段により回転駆動される攪拌部材と、処理部の収容体内に収容された生ゴミ分解のための菌の担持体と、を備えている。
【０００３】
このような構成の生ゴミ処理装置によれば、通常は、即ち生ゴミの処理を行なわない場合には、水切り部材によって、シンクの排水部からの水が外部へ排出されると共に、料理などにより生ゴミが生じた場合は、シンクの排水部からの生ゴミが水切り部材内に残留して溜まることになる。
これに対して、生ゴミの処理を行なう場合には、水切り部材を取り外し、取り外した水切り部材内に残留した生ゴミを例えば手作業で処理部内に導入する。そして、処理部内にて、攪拌部材で担持体及び生ゴミを攪拌することで、生ゴミを担持体に付着した菌と混ぜ合わせる。これにより生ゴミが分解される。
【発明の概要】
【発明が解決しようとする課題】
【０００４】
ところで、上述した生ゴミ処理装置においては、通常時には、水切り部材は、処理部側への導入口を閉鎖していない。このため、処理部内に収容されている生ゴミが完全に分解されていないと、生ゴミから発生する臭いが、処理部内に留まらず、処理部の導入部から水切り部材を介してシンク内に進入してしまうおそれがある。
【０００５】
本発明は、以上の点に鑑み、簡単な構成により、通常時には処理部内から生ゴミの臭いがシンク内に進入しないようにした生ゴミ処理装置を提供することを目的としている。
【課題を解決するための手段】
【０００６】
上記目的を達成する本発明は、シンクの排水口に接続された排水部と、該排水部に着脱可能に配置された水切り部材と、排水部に接続され菌を担持する担持体が収容された生ゴミ処理部と、を備え、排水部は排水口の下方となる底部に開口して生ゴミ処理部に連通した生ゴミ供給口と、生ゴミ供給口とは異なる位置に開口して外部への排水路に連通した水排出口と、を有し、水切り部材は生ゴミ供給口を閉塞する閉塞部と、排水口から流入した生ゴミと水とを分離して水を排水部に流出させると共に生ゴミ処理部に導入する生ゴミを内部に残留させる分離部と、を有し、生ゴミ処理部は生ゴミ供給口から導入された生ゴミを菌により分解し、分解により生じた水を外部への排水路に排出するものである。
【０００７】
本発明では、好ましくは、水切り部材がシンクの排水部に装着された状態で、水切り部材の閉塞部が生ゴミ供給口を密閉し、水切り部材がシンクの排水部から取り外された状態で、開口した前記生ゴミ供給口に、水切り部材の分離室に残留した生ゴミが導入可能である。
【０００８】
上記構成によれば、通常即ち生ゴミの処理を行なわない場合には、水切り部材がシンクの排水部に装着された状態にあって、シンクの排水部から流入した生ゴミ及び水が分離室で分離されて、水が水排出口から外部に流下すると共に、生ゴミが分離室内に残留する。これにより、生ゴミが水排出口から外部に排出されてしまうようなことはない。
ここで、水切り部材がシンクの排水部に装着された状態では、水切り部材の閉塞部が、処理部に通じる生ゴミ供給口を密閉している。従って、処理部内の生ゴミの臭いがシンク内に進入するようなことはなく、閉塞部によって遮断され得る。
【０００９】
これに対して、生ゴミの処理を行なう場合には、水切り部材をシンクの排水部から取り外し、水切り部材の分離室内に残留した生ゴミを手作業で生ゴミ供給口から処理部に導入し、その後水切り部材をシンクの排水部に装着する。
処理部内では、生ゴミの分解が行なわれるが、その際生ゴミ供給口は水切り部材の閉塞部により完全に密閉されているので、処理部内で生ゴミの分解が行なわれている途中で、生ゴミが残っていたとしても、生ゴミの臭いがシンク内に進入してしまうようなことはなく、水切り部材の閉塞部によって、生ゴミの臭いが遮断される。
【００１０】
本発明では、好ましくは、生ゴミ供給口を開閉するように、閉鎖位置から生ゴミ処理部側に向かって開閉蓋が揺動可能に支持されている。この開閉蓋は、生ゴミ供給口を閉鎖するように付勢手段により付勢されている。
本発明では、好ましくは、付勢手段は、生ゴミ供給口から投入された生ゴミが開閉蓋の上に載せられたとき、生ゴミの重量により開閉蓋が下方へ揺動し得る程度の付勢力を備えている。
【００１１】
このような構成の生ゴミ処理装置によれば、水切り部材の分離室に残留した生ゴミが、生ゴミ供給口から処理部内に導入されるとき、生ゴミの重量によって、開閉蓋が付勢力に抗して下方に揺動して、生ゴミ供給口が開放される。これにより、生ゴミは、生ゴミ供給口を通って処理室内に導入され得る。
【００１２】
これに対して、生ゴミが生ゴミ供給口から導入されない状態では、開閉蓋は付勢手段の付勢力によって生ゴミ供給口を閉鎖しているので、水切り部材の閉塞部と共に、生ゴミ供給口が二重に閉鎖されることになり、処理部内の生ゴミの臭いがより一層確実に遮断されることになる。
【発明の効果】
【００１３】
本発明によれば、簡単な構成により、通常時には処理部内から生ゴミの臭いがシンク内に進入しないようにした生ゴミ処理装置が提供される。
【図面の簡単な説明】
【００１４】
【図１】本発明による生ゴミ処理装置の一実施形態における全体の構成を示す長手方向の概略断面図である。
【図２】図１の生ゴミ処理装置におけるＡ−Ａ線断面図である。
【図３】図１の生ゴミ処理装置における水切り部材を示す部分拡大断面図である。
【図４】図１の生ゴミ処理装置における開閉蓋を示す部分拡大断面図である。
【発明を実施するための形態】
【００１５】
以下、図面に示した実施形態に基づいて本発明を詳細に説明する。
図１及び図２は、本発明による生ゴミ処理装置の一実施形態の構成を示している。
図１及び図２において、生ゴミ処理装置１０は、厨房等に設置されたシンク１１の排水口１１ａに接続された排水部１２と、排水部１２に着脱可能に装着された水切り部材１３と、排水部１２の下方に設けられた生ゴミ供給口１４に設けられた開閉蓋１５と、生ゴミ供給口１４の下方に設けられた生ゴミ処理部１６と、を備えている。
【００１６】
排水部１２は、金属，プラスチック等の不透水性材料から構成されており、排水口１１ａの下方側の底部、例えば排水口１１ａの真下の底面又はその付近に開口して生ゴミ処理部１６に連通した生ゴミ供給口１４と、生ゴミ供給口１４とは異なる位置に開口して外部への排水路１７に連通した水排出口１２ａと、を有している。
【００１７】
水排出口１２ａは、排水部１２に流下した水を排水路１７を介して外部へ排出するためのものであり、排水部１２内の水が円滑に水排出口１２ａ内に流入するように排水部１２の下端に設けられている。
【００１８】
図示の場合、排水部１２の上端には、排水部１２内を覆うが見えないように排水カバー１２ｃが着脱可能に取り付けられている。排水カバー１２ｃは、例えばゴム等の弾性材料から構成されており、環状の本体部１２ｄと、本体部１２ｄから半径方向内側に向かって突出する複数の可動片１２ｅと、を備えている。本体部１２ｄは、シンク１１の排水口１１ａに嵌合させて装着することで、水切り部材１３を排水部１２の底部に押し付けることができ、上端がシンク１１の底面とほぼ同じ高さかそれ以下に配置される。可動部１２ｅは扇形の形状を有しており、排水部１２に生ゴミが導入されるとき、図３にて矢印Ａで示すように、下方に弾性変形するようになっている。
【００１９】
水切り部材１３は、不透水性材料から構成されており、図３に詳細に示すように、排水部１２に収容可能な直径を有する容器状に形成されている。底壁には閉じた小径の閉塞部１３ａを備えている。水切り部材１３が排水部１２内に配置されたとき、閉塞部１３ａが排水部１２の生ゴミ供給口１４付近の排水部１２の底部に当接して、生ゴミ供給口１４を液密的に閉塞することができる。
【００２０】
このとき、水切り部材１３は、排水部１２内で位置決めされ、上下方向に関しては排水カバー１２ｃにより下方に押し付けられて、水切り部材１３の閉塞部１３ａの周囲の底面が排水部１２の底部に当接した状態で排水部１２に装着される。なお、水切り部材１３は、排水カバー１２ｃを取り外せば手で持ち上げて容易に排水部１２から取り外すことができる。即ち、水切り部材１３は、排水部１２に対して着脱可能に装着されている。
【００２１】
水切り部材１３は、その円筒状の側壁に透水部１３ｂを備えている。この透水部１３ｂは、例えばネット状またはパンチングメタル状に形成されており、水は通過可能であるが生ゴミは通過できないように、内部が分離室１３ｃとして構成されている。これにより、シンク１１から水及び生ゴミが排水部１２内に流入すると、水及び生ゴミは、すべて水切り部材１３の分離室１３ｃ内に進入する。そして、水は、透水部１３ｂを介して水切り部材１３と排水部１２の内面との間の空間に進入し、さらに水排出口１２ａから排水路１７を介して外部に排出される。他方、水切り部材１３内に導入された生ゴミは、水切り部材１３の分離室１３ｃ内に残留する。
【００２２】
生ゴミ供給口１４は、不透水性材料から構成されていて、上下に貫通する通路を備えている。この通路は生ゴミ処理部１６に液密的に連結されている。生ゴミ供給口１４の下端には、図４に示すように、開閉蓋１５が設けられている。
【００２３】
開閉蓋１５は、生ゴミ供給口１４の下端の開口部に隣接して、一側にて揺動軸１５ａの周りに生ゴミ処理部１６側に向かって揺動可能に枢支されており、実線で示す閉鎖位置と鎖線で示す開放位置との間を揺動する。閉鎖位置では、開閉蓋１５は、生ゴミ供給口１４の下端を液密的に閉鎖し、また開放位置では、生ゴミ処理部１６内への生ゴミの落下を許すようになっている。
【００２４】
さらに、開閉蓋１５は、図示しないバネ等の付勢手段により、閉鎖方向に向かって付勢されている。この付勢手段の付勢力は、生ゴミ供給口１４内に生ゴミが投入されたとき、開閉蓋１５上に載せられた生ゴミの自重により開閉蓋１５が付勢手段の付勢力に抗して開放位置まで揺動するように、選定されている。ここで、開閉蓋１５が開放位置まで揺動すると、開閉蓋１５に載せられた生ゴミは、自重で生ゴミ処理部１６内に落下する。
【００２５】
生ゴミ処理部１６は、筐体の内側に画成された内部空間を有し、この内部空間で画成された生ゴミ収容体内において、水平な駆動軸１６ａの周りに回転可能に支持された複数個の攪拌部材１６ｂと、駆動軸１６ａを回転駆動する駆動手段１６ｃと、が備えられている。
生ゴミ処理部１６の収容体内部には、生ゴミを分解するための菌の担持体１６ｄが多数収容されている。これにより、駆動手段１６ｃが動作して、駆動軸１６ａを回転駆動し、攪拌部材１６ｂを回転させることにより、内部に導入された生ゴミが、担持体１６ｄと攪拌・混合される。従って、生ゴミに担持体１６ｄの菌が付着して、生ゴミの分解が行なわれる。
【００２６】
さらに、生ゴミ処理部１６の底部には、排出口１６ｅが設けられており、排水路１７のトラップ１７ａより下流側に連通している。生ゴミの分解により発生した水は、排出口１６ｅを介して排水路１７から外部へ排出される。
【００２７】
本実施形態による生ゴミ処理装置１０は以上のように構成されており、以下のように動作する。
まず通常時、即ち生ゴミの処理を行なわない場合には、水切り部材１３は、シンク１１の排水部１２に装着されている。このとき、生ゴミ供給口１４は、水切り部材１３の閉塞部１３ａにより閉塞されると共に、その下端が開閉蓋１５により閉塞されている。
【００２８】
この状態で、シンク１１から排水部１２に流れる水及び生ゴミは、排水カバー１２ｃを介して、すべて水切り部材１３の分離室１３ｃ内に進入する。そして、分離室１３ｃ内において、水は透水部１３ｂを通って排水部１２と水切り部材１３の間の空間に進入し、排水部１２の水排出口１２ａから排水路１７を通って外部に排出されると共に、生ゴミは水切り部材１３の分離室１３ｃ内に残留する。そのため多量の水が生ゴミ処理部１６に導入されることがなく、生ゴミ処理部１６内の担持体１６ｄに付着している菌が多量に流失されることがない。
【００２９】
また、この稼動期間中、生ゴミ供給口１４の上側では、生ゴミ供給口１４に対して、水切り部材１３の閉塞部１３ａが液密的に嵌合して閉塞すると共に、生ゴミ供給口１４の下側では、開閉蓋１５が閉鎖位置に在って、生ゴミ供給口１４の下端の開口部を液密的に閉鎖している。従って、シンク１１の排水部１２から生ゴミ処理部１６への通路において、生ゴミ供給口１４の上下で、水切り部材１３の閉塞部１３ａ及び開閉蓋１５により、二重に閉塞されている。これにより、排水部１２から生ゴミ処理部１６内への通路が二重に遮断されるので、生ゴミ処理部１６内で処理中の生ゴミの臭いが、生ゴミ供給口１４から排水部１２を介してシンク１１内に進入してしまうようなことがない。
【００３０】
これに対して、水切り部材１３の分離室１３ｃ内に残留した生ゴミの処理を行なう場合には、まず排水カバー１２ｃを取り外し、続いて水切り部材１３を排水部１２から手で取り外す。そして、作業者が手作業で、水切り部材１３の分離室１３ｃ内に残留した生ゴミを、排水部１２の底部に開口する排出部１２ｂから生ゴミ供給口１４内に投入する。生ゴミ供給口１４内に投入された生ゴミは、生ゴミ供給口１４の下端を閉鎖している開閉蓋１５上に載せられる。ここで、開閉蓋１５が生ゴミの自重により開放位置まで揺動するので、開閉蓋１５上の生ゴミは、開閉蓋１５上から生ゴミ処理部１６内に滑り落ちることになる。生ゴミが生ゴミ処理部１６内に落下した後は、開閉蓋１５が付勢力により自動で閉じる。生ゴミを投入した後には、再び水切り部材１３及び排水カバー１２ｃを排水部１２に装着される。
【００３１】
この状態で、生ゴミ処理部１６の駆動手段１６ｃが動作することにより、攪拌部材１６ｂが回転して、生ゴミ処理部１６内に収容された担持体１６ｄが生ゴミと共に、生ゴミ処理部１６内を転動する。これにより、生ゴミと担持体１６ｄが攪拌・混合され、担持体１６ｄに付着した菌が生ゴミに接触し、生ゴミの分解が行なわれる。生ゴミが分解されると、生ゴミ処理部１６内の液が生ゴミ処理部１６の排出口１６ｅから排水路１７を介して外部に排出される。このようにして、生ゴミの分解処理が行なわれる。
【００３２】
本発明はその趣旨を逸脱しない範囲において様々な形態で実施することができる。例えば、上述した実施形態においては、生ゴミ処理部１６は、一般的な構成のものを例示したが、これに限らず、生ゴミ処理機能を有していれば、任意の構成の処理部でもよいことは明らかである。
【００３３】
上述した実施形態においては、生ゴミ供給口１４の下端に開閉蓋１５が設けられているが、これに限らず、開閉蓋１５は省略されてもよい。また、水切り部材１３は、図３にて左側の側面のみに透水部１３ｂを備えているが、これに限らず、円筒状の側面の少なくとも一部に、あるいは全周に亘って透水部を備えていてもよい。
【符号の説明】
【００３４】
１０    生ゴミ処理装置
１１    シンク
１２    排水部
１２ａ  水排出口
１２ｃ  排水カバー
１３    水切り部材
１３ａ  閉塞部
１３ｂ  透水部
１３ｃ  分離室
１４    生ゴミ供給口
１５    開閉蓋
１５ａ  揺動軸
１６    生ゴミ処理部
１６ａ  駆動軸
１６ｂ  攪拌部材
１６ｃ  駆動手段
１６ｄ  担持体
１７    排水路
【図１】
2014034001.tif 000003
【図２】
2014034001.tif 000004
【図３】
2014034001.tif 000005
【図４】
2014034001.tif 000006